(57)【要約】【課題】釣銭回収カセットを着脱自在に構成できる貨幣処理装置であり、また、現金取扱者の作業負担を軽減することのできる貨幣処理装置を提供する。【解決手段】筐体と、前記筐体に設けられた現金を投入する現金投入口と、前記筐体に設けられた釣銭のための現金を収納する釣銭収納庫および売上金を収納する売上金収納庫と、前記釣銭収納庫と前記売上金収納庫にそれぞれ収納する現金を計数する処理部と、前記釣銭について前もって釣銭準備金設定額を記憶する記憶部を有し、前記処理部では、前記釣銭準備金設定額に基づいて釣銭と売上金額をそれぞれ計数し、上記記憶部に記憶すると共に、前記処理部は、前記現金投入口に投入された現金を前記記憶部に記憶された釣銭と売上金額に基づいて、前記投入された現金を前記釣銭収納庫と、前記売上金収納庫に分別収納するように構成されている。【選択図】図１
2010067070.tif 000002
【特許請求の範囲】
【請求項１】
筐体と、前記筐体に設けられた現金を投入する現金投入口と、前記筐体に設けられた釣銭のための現金を収納する釣銭収納庫および売上金を収納する売上金収納庫と、前記釣銭収納庫と前記売上金収納庫にそれぞれ収納する現金を計数する処理部と、前記釣銭について前もって釣銭準備金設定額を記憶する記憶部を有し、前記処理部では、前記釣銭準備金設定額に基づいて釣銭と売上金額をそれぞれ計数し、上記記憶部に記憶すると共に、前記処理部は、前記現金投入口に投入された現金を前記記憶部に記憶された釣銭と売上金額に基づいて、前記投入された現金を前記釣銭収納庫と、前記売上金収納庫に分別収納することを特徴とする貨幣処理装置。
【請求項２】
請求項１記載の貨幣処理装置において、前記釣銭収納庫は、前記筐体に着脱可能に結合され、前記釣銭収納庫を取り外した状態では、前記売上金収納庫に売上金が収納される売上金入金機として動作することを特徴とする貨幣処理装置。
【請求項３】
請求項１記載の貨幣処理装置において、前記処理部は、店舗等の複数のレジスタからの売上金が処理され、該売上金が前記記憶部に記憶されると共に、前記レジスタで入金された現金が前記現金投入口に投入されると、投入された現金が前記釣銭収納庫と前記売上金収納庫にそれぞれ分別収納されることを特徴とする貨幣処理装置。
【請求項４】
請求項１記載の貨幣処理装置において、前記釣銭収納庫は、金種別に区別された釣銭収納庫であり、前記釣銭準備金設定額が前記金種別に設定され、前記処理部では、前記金種別に設定された釣銭準備金設定額に基づいて、前記釣銭と前記売上金額がそれぞれ計数され、前記記憶部に記憶され、前記現金投入口に売上金が投入されると前記記憶部に記憶された前記釣銭と前記売上金額が金種別に前記釣銭収納庫と前記売上金収納庫に分別収納されることを特徴とする貨幣処理装置。
【発明の詳細な説明】
【技術分野】
【０００１】
本発明は、貨幣処理装置に関し、特に売上金入金機としても使用できる貨幣処理装置に関する。
【背景技術】
【０００２】
従来の売上金入金機では、ユーザが釣銭を準備するに当たり、入金された金銭を取出すことができない。このため、売上金入金機に入金する以前に予め釣銭として残す現金を人手により抜き取り、残った現金を売上金として売上金入金機に収納する必要があり、数え間違いがないように行うことは現金取扱者の大きな負担となっている。これを解消するために、特許文献１には、入金された現金を、予め釣銭準備金として設定させた金種別枚数（保管基準額）に達するまで釣銭収納庫に収納し、あふれた現金は、売上金として金庫カセットに収納する現金管理装置が記載されている。
【０００３】
【特許文献１】特開２００５―３８０６２号公報
【発明の開示】
【発明が解決しようとする課題】
【０００４】
従来の技術では、予め釣銭金種毎に決められた枚数に対して、それ以下なら釣銭庫へ、超えたら回収用現金庫へ収納することで売上金の中から釣銭準備額を供給する方式が知られているが、通常、営業に必要な釣銭は、全ては自給できず、不足する金種が出るので、釣銭準備の金額としては、不足し、回収用現金庫に収納した金額は、実際の売上額に対し過多となってしまうため、売上金入金機としては、実際の売上金を収納した貨幣処理装置とはなっていない。従って、売上金入金機としては、実際の売上金を収納する貨幣処理装置の実現が望まれている。
本発明の目的は、売上金入金機としても使用できる貨幣処理装置を提供することである。
【０００５】
本発明の他の目的は、売上金相当分が売上金収納庫に、釣銭準備金が釣銭収納庫に収納される貨幣処理装置を提供することである。
【０００６】
本発明の更に他の目的は、現金取扱者の作業負担を軽減することのできる貨幣処理装置を提供すことある。
【課題を解決するための手段】
【０００７】
上記目的を達成するために、本発明の貨幣処理装置は、筐体と、前記筐体に設けられた現金を投入する現金投入口と、前記筐体に設けられた釣銭のための現金を収納する釣銭収納庫および売上金を収納する売上金収納庫と、前記釣銭収納庫と前記売上金収納庫にそれぞれ収納する現金を計数する処理部と、前記釣銭について前もって釣銭準備金設定額を記憶する記憶部を有し、前記処理部では、前記釣銭準備金設定額に基づいて釣銭と売上金額をそれぞれ計数し、上記記憶部に記憶すると共に、前記処理部は、前記現金投入口に投入された現金を前記記憶部に記憶された釣銭と売上金額に基づいて、前記投入された現金を前記釣銭収納庫と、前記売上金収納庫に分別収納するように構成されている。
【０００８】
また、本発明の貨幣処理装置において、前記釣銭収納庫は、前記筐体に着脱可能に結合され、前記釣銭収納庫を取り外した状態では、前記売上金収納庫に売上金が収納される売上金入金機として動作するように構成されている。
【０００９】
また、本発明の貨幣処理装置において、前記処理部は、店舗等の複数のレジスタからの売上金が処理され、該売上金が前記記憶部に記憶されると共に、前記レジスタで入金された現金が前記現金投入口に投入されると、投入された現金が前記釣銭収納庫と前記売上金収納庫にそれぞれ分別収納されるように構成されている。
【００１０】
また、本発明の貨幣処理装置において、前記釣銭収納庫は、金種別に区別された釣銭収納庫であり、前記釣銭準備金設定額が前記金種別に設定され、前記処理部では、前記金種別に設定された釣銭準備金設定額に基づいて、前記釣銭と前記売上金額がそれぞれ計数され、前記記憶部に記憶され、前記現金投入口に売上金が投入されると前記記憶部に記憶された前記釣銭と前記売上金額が金種別に前記釣銭収納庫と前記売上金収納庫に分別収納されるように構成されている。
【発明の効果】
【００１１】
以上説明したように、本発明は、売上金収納庫と釣銭収納庫を備えた貨幣処理装置として使用したり、また、釣銭の不要な店舗等では、釣銭収納庫を取り外した売上金専用の入金機としても使用できる貨幣処理装置を実現することができる。また、売上金相当分が売上金収納庫に、釣銭準備金が釣銭収納庫に収納される貨幣処理装置を実現することができる。また、店舗現金−釣銭準備額＝機内入金額（売上額）の関係を維持して分離収納できるので、売上金収納庫に収納される売上金を実際の売上金に一致させる事ができ、面倒な経理操作が不要になる。従って、現金取扱者の作業負担を軽減することのできる貨幣処理装置を実現できる。
更に、釣銭準備サービスの提供を受けている店舗等や、店舗のレジ毎に自動釣銭機を設置している店舗などには、釣銭準備金を作成する必要が無いので、店舗現金保留部を取り外して安価な入金専用機として提供できる特徴がある。
【発明を実施するための最良の形態】
【００１２】
次に、本発明を実施するための最良の形態を、以下の実施例に基づき図面を参照しつつ説明する。
【００１３】
図１は、本発明の一実施例の概略構成を示すブロック図である。貨幣処理装置１００は、貨幣投入口（図では、貨幣と表示。）１０１、紙幣投入口（図では、紙幣と表示。）１０２、計数・金種判定部１０３、１０４、処理部１０５、表示部１０６、釣銭回収カセット（または、釣銭収納庫とも言う。以下の実施例では、釣銭回収カセットとして説明する。）１０９及び売上金回収カセット（または、売上金収納庫とも言う。以下の実施例では、売上金回収カセットとして説明する。）１１０を有する。処理部１０５は、さらに、制御部１１１、記憶部１１２、演算部１１３及び金種分類部１１４を有する。１２０〜１２３は、たとえば、店舗等に設置されているレジスタを示す。制御部１１１は、貨幣処理装置１００を制御するが、図1では、処理部１０５の各部を制御するものとして示してある。記憶部１１２は、各金種毎の釣銭準備金設定額、貨幣処理装置に投入された現金（以下、投入金額と称する。）、及び投入金額の金種別枚数を記憶する。演算部１１３は、釣銭準備金設定額に基づいて、釣銭回収カセット１０９または売上金回収カセット１１０に回収する金種別枚数を所定のアルゴリズム（詳細は後述する。）により算出すると共に、その結果を記憶部１１２に記憶する。金種分類部１１４は、演算部１１３により算出された金種別枚数に従って、釣銭回収カセット１０９または売上金回収カセット１１０に回収する貨幣を分類する。計数・金種判定部１０３、１０４は、貨幣処理装置１００に入金された貨幣の金種を判定し、金種別枚数及び金額を計数する。表示部１０６には、計数・金種判定部により入金された全ての貨幣の計数が終了すると、その計数結果が表示される。釣銭回収カセット１０９には、釣銭が回収され、売上金回収カセット１１０には、売上金が回収される。
【００１４】
次に、釣銭準備金設定額に基づいて釣銭と売上金とに分離する動作の概略を説明する。まず、レジスタ１２０〜１２３に収納された貨幣が硬貨投入口１０１、紙幣投入口１０２に投入され、貨幣処理装置１００に入金される。入金された金種別枚数と金額が計数・金種判定部１０３、１０４により計数され、記憶部１１２にその値が記憶される。また、記憶部１１２には予め釣銭準備金設定額が記憶されており、演算部１１３ではこの釣銭準備金設定額に基づいて、釣銭または売上金として分離する金額の金種別枚数が算出される。この算出された金種別枚数に従って、釣銭部分は釣銭回収カセット１０９、売上金部分は売上金回収カセット１１０にそれぞれ分別回収される。
【００１５】
図２は、本発明の一実施例の貨幣処理装置１００の全体構成を説明するための平面図である。貨幣処理装置１００は、紙幣処理部３００及び硬貨処理部４００から構成されている。紙幣処理部３００は、紙幣主処理部２００Ａ及び紙幣店舗現金保留部２０１Ａを有する。また、硬貨処理部４００は、硬貨主処理部２００Ｂ及び硬貨店舗現金保留部２０１Ｂを有する。ここで、紙幣店舗現金保留部２０１Ａ及び硬貨店舗現金保留部２０１Ｂにはそれぞれ取付部材２０２，２０３が備えられており、この取付部材２０２，２０３によって、紙幣主処理部２００Ａ及び硬貨主処理部２００Ｂに対してそれぞれ着脱可能に取り付けられる構成となっている。図２（Ａ）は、結合時の状態、図２（Ｂ）は、取り外した状態を示している。紙幣主処理部２００Ａ及び硬貨主処理部２００Ｂに、店舗現金保留部２０１Ａ及び硬貨店舗現金保留部２０１Ｂが結合した状態では、貨幣処理装置として機能し、紙幣店舗現金保留部２０１Ａ及び硬貨店舗現金保留部２０１Ｂが取り外された状態では、売上入金機として使用する貨幣処理装置として機能する。
【００１６】
図３は、本発明の一実施例の紙幣処理部３００の具体的構成例を示す側面図であり、紙幣主処理部２００Ａと紙幣店舗現金保留部２０１Ａが結合した状態と、紙幣店舗現金保留部２０１Ａが取り外された状態を示している。紙幣処理部３００は、紙幣主処理部２００Ａ及び紙幣店舗現金保留部２０１Ａを有する。紙幣主処理部２００Ａは、紙幣投入口３０１（図１の紙幣投入口１０２に対応する。）、紙幣鑑別部３０２、紙幣一時保留部３０３、紙幣一時保留部３０４、紙幣返却口３０５、紙幣リジェクト口３０６、紙幣金庫カセット３０７、紙幣店舗現金保留部２０１Ａ、紙幣店舗現金取出し口３０９、紙幣ゲート３２１、紙幣金庫カセットルート３２２（矢印で示す。）及び紙幣店舗現金保留部ルート３２３（矢印で示す。）を有する。
【００１７】
紙幣投入口３０１は、紙幣の入金口である。紙幣鑑別部３０２は、紙幣の金種を判定する。紙幣一時保留部３０３は、底部の開閉が可能な構成となっており、所定の条件により底部が開放され、紙幣が紙幣金庫カセット３０７へ収納される。一方、紙幣一時保留部３０４は、紙幣店舗現金保留部ルート３２３へ紙幣の搬送方向が切り替えられた場合、搬送された紙幣を収納する。紙幣金庫カセット３０７には、売上金回収カセット１１０に回収される売上金のうち紙幣が回収される。紙幣店舗現金保留部２０１Ａには、釣銭回収カセット１０９に回収される売上金のうち紙幣が回収される。紙幣店舗現金保留部２０１Ａは、紙幣の釣銭収納庫に、また、紙幣金庫カセット３０７は、紙幣の売上金収納庫に相当する。紙幣ゲート３２１は、所定の条件により紙幣の搬送方向を紙幣金庫カセットルート３２２または紙幣店舗現金保留部ルート３２３に切り替える。
【００１８】
図４は、本発明の一実施例の硬貨処理部４００の構成例を示す側面図であり、硬貨主処理部２００Ｂと硬貨店舗現金保留部２０１Ｂが結合した状態と、硬貨店舗現金保留部２０１Ｂが取り外された状態を示している。硬貨処理部４００は、硬貨主処理部２００Ｂ及び硬貨店舗現金保留部２０１Ｂを有する。硬貨主処理部２００Ｂは、硬貨投入口４１１（図１の硬貨投入口１０１に対応する。）、検銭部４１２、硬貨一時保留部４１３、硬貨返却口４１４、硬貨リジェクト口４１５、硬貨金庫カセット４１６、硬貨店舗現金取出し口４１８、硬貨分類ボックス４１９、硬貨ゲート４２４、硬貨金庫カセットルート４２５（矢印で示す。）及び硬貨店舗現金保留部ルート４２６を有す（矢印で示す。）。硬貨店舗現金保留部２０１Ｂは、硬貨の釣銭収納庫に、また、硬貨金庫カセット４１６は、硬貨の売上金収納庫に相当する。
【００１９】
硬貨投入口４１１は、硬貨の入金口である。検銭部４１２は、硬貨の金種を判定する。硬貨一時保留部４１３は、所定の条件により左方向へ移動して、硬貨を硬貨返却口４１４内に収納させる。硬貨金庫カセット４１６には、売上金回収カセット１１０に回収される売上金のうち硬貨が回収される。硬貨分類ボックス４１９は、硬貨を金種毎に分類して収納する収納箱である。硬貨ゲート４２４は、所定の条件により硬貨の搬送方向を硬貨金庫カセットルート４２５または硬貨店舗現金保留部ルート４２６に切り替える。硬貨店舗現金保留部２０１Ｂには、釣銭回収カセット１０９に回収される売上金のうち硬貨が回収される。
【００２０】
次に、本発明の一実施例の動作について説明する。
【００２１】
まず、レジスタ１２０〜１２３から集められた店舗の現金が、計数・金種判定部１０３、１０４により入金計数され、紙幣店舗現金保留部２０１Ａまたは硬貨店舗現金保留部２０１Ｂに収納される。入金する紙幣は、紙幣投入口３０１にセットされ、スタートボタンを押下することにより一枚毎に分離されて紙幣鑑別部３０２に搬送される。紙幣鑑別部３０２では、金種を判定し、その後、紙幣一時貯留部３０３へ搬送され、収納される。入金する硬貨は、硬貨投入口４１１にセットされ、スタートボタンを押下することにより一枚毎に分離されて検銭部４１２に搬送される。検銭部４１２では、金種を判定し、その後、硬貨一時貯留部４１３へ搬送され、収納される。なお、計数後は、図４の４１９に示すように金種別に分離収納される。全ての貨幣の計数が終了すると表示部１０６に計数結果を表示する。
【００２２】
尚、入金された紙幣の確認が必要になった場合あるいはキャンセルボタンを押下することにより、紙幣処理部３００では紙幣返却口３０５が開放するので、紙幣を取出し再度計数することが可能である。また硬貨処理部４００は、硬貨一時貯留部４１３が左方向へ移動して、硬貨返却口４１４内に硬貨が自重落下し硬貨返却口４１４部へ移載後、硬貨返却口４１４が開放するので、貨幣を取出し再度計数することができる。
【００２３】
計数結果に問題がなければ、確定ボタンの押下により、紙幣は、紙幣一時貯留部３０３の底部が開放され、紙幣金庫カセット３０７へ収納される。一方、紙幣一時保留部３０４は、紙幣店舗現金保留部ルート３２３へ紙幣の搬送方向が切り替えられた場合、搬送された紙幣を収納する。
【００２４】
硬貨は、硬貨一時貯留部４１３が左方向へ移動して硬貨返却口４１４内に硬貨が自重落下し硬貨返却口４１４部へ移載後、硬貨返却口４１４の底部が開放し硬貨店舗現金保留部２０１Ｂへ自重落下により収納される。
【００２５】
以上、本発明の一実施例について、詳細に説明したが、本発明の特徴である売上金は、売上金回収カセット１１０に、また、釣銭は、釣銭回収カセット１０９に分別収納されることについて図５〜図９を用いて説明する。なお、図５のＡは、図６のＡに繋がり、図６のＢは、図７のＢに繋がる。以下の図７〜図９のＣ、Ｄにおいても同様である。
【００２６】
尚、本実施例では、説明を簡単にするために、硬貨のみを使用するものとして説明するが、紙幣の場合も同様である。まず、釣銭準備金設定額を1円×１００枚、５円×１００枚、１０円×１００枚、５０円×１００枚、１００円×１００枚、５００円×１００枚の合計金額６６，６００円とする。また、売上金額は、２６，８７６円とし、この場合の投入金額は、1円×７６枚、５円×８６枚、１０円×１１７枚、５０円×９２枚、１００円×１９２枚、５００円×１３６枚として説明する。但し、これは、説明のための一実施例であり、これに限定されるものではない。
【００２７】
処理の基本的な手順は、投入された店舗現金の内、低額金種から売上金収納金額を確定させることであり、具体例を用いてこの手順を説明する。
【００２８】
まず、釣銭準備金設定額は上述のように各金種毎に１００枚で計６６，６００円が前もって準備されている。また、売上金は、各金種の投入枚数及び投入金額では、１円が７６枚で７６円、５円が８６枚で４３０円、１０円が１１７枚で１，１７０円、５０円が９２枚で４，６００円、１００円が１９２枚で１９，２００円、５００円が１３６枚で６８，０００円であり、釣銭準備金設定額：６６，６００円と売上金：２６，８７６円の合計金額である投入金額（店舗現金）は９３，４７６円である。
【００２９】
図５において、まず、各金種毎の釣銭準備金設定額を記憶部１１２に記憶する（ステップ５０１）。次に、投入金額から釣銭準備金設定額を減算して売上金額を求める（ステップ５０２）。投入金額は９３，４７６円、釣銭準備金設定額は６６，６００であることから、売上金額は、２６，８７６円となる。
【００３０】
まず、最低額の金種である１円硬貨を釣銭回収カセット１０９および売上金回収カセット１１０の何れかに分離する処理について説明する。１円硬貨の投入金額過不足分は、１円硬貨投入金額から１円硬貨釣銭準備金設定額を減算して１円硬貨の投入金額過不足分を求める（ステップ５０３）。即ち、１円硬貨投入金額は７６円、１円硬貨の釣銭準備金設定額は１００円であることから、１円硬貨の投入金額過不足分は−２４円となる。
【００３１】
次に、１円硬貨の理想的な売上金収納金額を求める。売上金額を１円の上位金種である５（円）で除算した余りを１円硬貨の理想的な売上金収納金額とする（ステップ５０４）。即ち、売上金額の２６，８７６円を５で除算した余りは１円であり、この１円が１円硬貨の理想的な売上金収納金額となる。
【００３２】
次に、１円硬貨の売上金収納金額を求める。この場合、１円硬貨の投入金額過不足分が１円硬貨の理想的な売上金収納金額よりも小であるか否かを判定する（ステップ５０５）。ステップ５０５での判定結果が小の場合（Ｙの場合）、ステップ５０６へ進む。ステップ５０６では、１円硬貨の理想的な売上金収納金額を１円硬貨の売上金収納金額とする。一方、ステップ５０５における判定結果が小でない場合（Ｎの場合）、ステップ５０７へ進む。ステップ５０７では、１円硬貨の投入金額過不足分を１円硬貨の売上金収納金額とする。本実施例では、１円硬貨の投入金額過不足分は−２４円、１円硬貨の理想的な売上金収納金額は１円であることからステップ５０６へ進み、１円硬貨の売上金収納金額は１円となる。従って、この１円分すなわち１円硬貨１枚が売上金回収カセット１１０へ収納される。
【００３３】
次に、１円硬貨の投入金額から１円硬貨の売上金収納金額を減算して１円硬貨の釣銭準備金額を求める（ステップ５０８）。この１円硬貨の釣銭準備金額は、釣銭として釣銭回収カセット１０９へ収納される。即ち、１円硬貨の投入金額は７６円、１円硬貨の売上金収納金額は１円であることから、１円硬貨の釣銭準備金収納金額は７５円となる。従って、この７５円分すなわち１円硬貨７５枚が釣銭回収カセット１０９へ収納される。これによって１円の収納金額は、釣銭準備金設定額に最も近くなるように設定できる。
【００３４】
次に、１円硬貨の釣銭準備金不足分を求める。１円硬貨の釣銭準備金設定額から１円硬貨の釣銭準備金額を減算して１円硬貨の釣銭準備金不足分を求める（ステップ５０９）。即ち、１円硬貨の釣銭準備金設定額は１００円、１円硬貨の釣銭準備金額は７５円であることから、１円硬貨の釣銭準備金不足分は２５円となる（ステップ５０９）。
【００３５】
次に、図６において、５円硬貨を釣銭回収カセット１０９および売上金回収カセット１１０の何れかに分離する処理について説明する。まず、５円硬貨の分離必要金額を求める。５円硬貨の投入金額から１円硬貨の釣銭準備金不足分を減算して５円硬貨の分離必要金額を求める（ステップ６０１）。即ち、５円硬貨の投入金額は４３０円、１円硬貨の釣銭準備金不足分は２５円であることから、５円硬貨の分離必要金額は４０５円となる。次に、５円硬貨の投入金額過不足分を求める。５円硬貨の分離必要金額から５円硬貨の釣銭準備金設定額を減算して５円硬貨の投入金額過不足分を求める（ステップ６０２）。即ち、５円硬貨の分離必要金額は４０５円、５円硬貨の釣銭準備金設定額は５００円であることから、５円硬貨の投入金額過不足分は−９５円となる。次に、５円硬貨の理想的な売上金収納金額を求める。５円硬貨の理想的な売上金収納金額は、売上金額からステップ５０６で求めた１円硬貨の売上金収納金額を減算した金額を、さらに、５円の上位金種である１０（円）で除算してその余りを５円硬貨の理想的な売上金収納金額とする（ステップ６０３）。即ち、売上金額は２６，８７６円、１円硬貨の売上金収納金額は１円であることから、５円硬貨の理想的な売上金収納金額は５円となる。
【００３６】
次に、５円硬貨の売上金収納金額を求める。この場合、５円硬貨の投入金額過不足分が５円硬貨の理想的な売上金収納金額よりも小であるか否かを判定する（ステップ６０４）。ステップ６０４での判定結果が小の場合（Ｙの場合）、ステップ６０５へ進む。ステップ６０５では、５円硬貨の理想的な売上金収納金額を５円硬貨の売上金収納金額とする。一方、ステップ６０４における判定結果が小でない場合（Ｎの場合）、ステップ６０６へ進む。ステップ６０６では、５円硬貨の投入金額過不足分を５円硬貨の売上金収納金額とする。本実施例では、５円硬貨の投入金額過不足分は−９５円、５円硬貨の理想的な売上金収納金額は５円であることからステップ６０５へ進み、５円硬貨の売上金収納金額は５円となる。従って、この５円分すなわち５円硬貨１枚が売上金として売上金回収カセット１１０へ収納される。
【００３７】
次に、５円硬貨の釣銭準備金額を求める。５円硬貨の釣銭準備金額は、５円硬貨の分離必要金額から５円硬貨の売上金収納金額を減算し、さらに、１円硬貨の釣銭準備金不足分を加算して、５円硬貨の釣銭準備金額を求める（ステップ６０７）。そして、この５円硬貨の釣銭準備金額は、釣銭として釣銭回収カセット１０９へ収納される。即ち、５円硬貨の分離必要金額は４０５円、５円硬貨の売上金収納金額は５円、１円硬貨の釣銭準備金不足分は２５円であることから、５円硬貨の釣銭準備金額は４２５円となる。従って、この４２５円分すなわち５円硬貨８５枚が釣銭回収カセット１０９へ収納される。これによって１円の場合と同様に、５円の収納金額は、釣銭準備金設定額に最も近くなるように設定できる。
【００３８】
次に、５円硬貨の釣銭準備金不足分を求める。５円硬貨の釣銭準備金設定額から５円硬貨の釣銭準備金額を減算して、５円硬貨の釣銭準備金不足分を求める（ステップ６０８）。即ち、５円硬貨の釣銭準備金設定額は５００円、５円硬貨の釣銭準備金額は４２５円であることから、５円硬貨の釣銭準備金不足分は７５円となる。
【００３９】
次に、１０円硬貨を釣銭回収カセット１０９および売上金回収カセット１１０の何れかに分離する処理について説明する。まず、１０円硬貨の分離必要金額を求める。１０円硬貨の分離必要金額は、１０円硬貨の投入金額から、５円硬貨の釣銭準備金不足分及び１円硬貨の釣銭準備金不足分を減算して、１０円硬貨の分離必要金額を求める（ステップ６０９）。即ち、１０円硬貨の投入金額は１１７０円、５円硬貨の釣銭準備金不足分は７５円、１円硬貨の釣銭準備金不足分は２５円であることから、１０円硬貨の分離必要金額は１，０７０円となる。次に、１０円硬貨の分離必要金額から１０円硬貨の釣銭準備金設定額を減算して１０円硬貨の投入金額過不足分を求める（ステップ６１０）。即ち、１０円硬貨の分離必要金額は１，０７０円、１０円硬貨の釣銭準備金設定額は１，０００円であることから、１０円硬貨の投入金額過不足分は７０円となる。次に、１０円硬貨の理想的な売上金収納金額を求める。売上金額からステップ５０６で求めた１円硬貨の売上金収納金額及びステップ６０５で求めた５円硬貨の売上金収納金額を減算した金額を、さらに、１０円の上位金種である５０（円）で除算してその余りを１０円硬貨の理想的な売上金収納金額とする（ステップ６１１）。即ち、売上金額は２６，８７６円、１円硬貨の売上金収納金額は１円、５円硬貨の売上金収納金額は５円であることから、５円硬貨の理想的な売上金収納金額は２０円となる。
【００４０】
次に、１０円硬貨の売上金収納金額を求める。この場合、１０円硬貨の投入金額過不足分が１０円硬貨の理想的な売上金収納金額よりも小であるか否かを判定する（ステップ６１２）。ステップ６１２での判定結果が小の場合（Ｙの場合）、ステップ６１３へ進む。ステップ６１３では、１０円硬貨の理想的な売上金収納金額を１０円硬貨の売上金収納金額とする。一方、ステップ６１２における判定結果が小でない場合（Ｎの場合）、ステップ６１４へ進む。ステップ６１４では、１０円硬貨の投入金額過不足分を１０円硬貨の売上金収納金額とする。本実施例では、１０円硬貨の投入金額過不足分は７０円、１０円硬貨の理想的な売上金収納金額は２０円であることからステップ６１４へ進み、１０円硬貨の売上金収納金額は７０円となる。従って、この７０円分すなわち１０円硬貨７枚が売上金として売上金回収カセット１１０へ収納される。
【００４１】
次に、１０円硬貨の釣銭準備金額を求める。１０円硬貨の釣銭準備金額は、１０円硬貨の分離必要金額から１０円硬貨の売上金収納金額を減算し、さらに、１円硬貨の釣銭準備金不足分及び５円硬貨の釣銭準備金不足分を加算して、１０円硬貨の釣銭準備金額を求める（ステップ６１５）。この１０円硬貨の釣銭準備金額は、釣銭として釣銭回収カセット１０９へ収納される。即ち、１０円硬貨の分離必要金額は１，０７０円、１０円硬貨の売上金収納金額は７０円、１円硬貨の釣銭準備金不足分は２５円、５円硬貨の釣銭準備金不足分は７５円であることから、１０円硬貨の釣銭準備金額は１，１００円となる。従って、この１，１００円分すなわち１０円硬貨１１０枚が釣銭回収カセット１０９へ収納される。これによって前述の場合と同様に、１０円の収納金額は、釣銭準備金設定額に最も近くなるように設定できる。
【００４２】
次に、１０円硬貨の釣銭準備金不足分を求める。１０円硬貨の釣銭準備金不足分は、１０円硬貨の釣銭準備金設定額から１０円硬貨の釣銭準備金額を減算して、１０円硬貨の釣銭準備金不足分を求める（ステップ６１６）。１０円硬貨の釣銭準備金設定額は１，０００円、１０円硬貨の釣銭準備金額は１，１００円であることから、１０円硬貨の釣銭準備金不足分は−１００円となる。即ち、１０円硬貨の釣銭準備金は、釣銭準備金設定額を超えているので、次の５０円硬貨の分離必要金額では、１０円硬貨の釣銭準備金不足分は、０円となる（図７のステップ７０１）。
【００４３】
以上、１円から１０円までの硬貨を釣銭回収カセット１０９および売上金回収カセット１１０の何れかに分離する処理について説明したが、図７〜図９に示す５０円硬貨より高額な硬貨および紙幣の分離処理を説明する図７のステップ７０１〜７１６、図８のステップ８０１〜８１６および図９のステップ９０１〜９１１についても前述した１円から１０円までの硬貨の場合と同様であり、これによって全ての金種について、各金種毎に釣銭回収カセット１０９に各金種毎の釣銭準備金設定額に最も近くなるように設定できる。尚、５０円硬貨より高額な硬貨および紙幣の詳細な説明は省略する。
【００４４】
上記のようにして５０円硬貨より高額な硬貨について分離処理を行った結果、釣銭として釣銭回収カセット１０９に収納された現金は、１円が７５枚、５円が８５枚、１０円が１１０枚、５０円が９２枚、１００円が１００枚及び５００円が１０１枚であり、釣銭回収カセット１０９には、合計６６，６００の釣銭、即ち、最初に設定された釣銭と同じ額の釣銭が収納される。
一方、売上金として売上金回収カセットには、１円が１枚、５円が１枚、１０円が７枚、５０円が０枚、１００円が９２枚、５００円が３５枚回収され、合計は、２６，８７６円となり、売上金と同じ額の金額が回収カセット１１０に収納される。
【００４５】
以上の説明で明らかなように、釣銭準備金と売上金の金種構成が決定される。この釣銭準備金と売上金の金種構成は、記憶部１１２に記憶される。従って、操作者は、例えば、紙幣店舗現金保留部２０１Ａ及び硬貨店舗現金保留部２０１Ｂに収納された現金を一旦取出して、再度、入金（釣銭分類入金）する。即ち、紙幣店舗現金保留部２０１Ｂから取出した紙幣は、紙幣投入口３０１にセットし、また、硬貨店舗現金保留部２０１Ｂに収納された硬貨は、硬貨投入口４１１にセットし、スタートボタンを押下することにより、記憶部１１２に記憶されている金種毎の釣銭準備金と売上金が釣銭回収カセット１０９と売上げ金回収カセット１１０にそれぞれ収納される。
以上により、紙幣金庫カセット３０７及び硬貨金庫カセット４１６には、店舗の売上金額相当分が、紙幣店舗現金保留部２０１Ａ及び硬貨店舗現金保留部２０１Ｂには、釣銭準備金が収納される。従って、店舗現金−釣銭準備額＝機内入金額（売上額）の関係を維持して分離収納できるので、売上金収納庫に収納される売上金を実際の売上金に一致させる事ができ、面倒な経理操作が不要になる。また、現金取扱者の作業負担を軽減することのできる貨幣処理装置を実現できる。
【００４６】
以上、本発明について詳細に説明したが、本発明は、ここに記載された貨幣処理装置の実施例に限定されるものではなく、他の貨幣処理装置や売上金入金装置等にも適用できることは言うまでもない。
【図面の簡単な説明】
【００４７】
【図１】本発明の一実施例の概略構成を示すブロック図である。
【図２】本発明の一実施例の貨幣処理装置１００の全体構成を説明するための平面図である。
【図３】本発明の一実施例の紙幣処理部３００の構成例を示す側面図である。
【図４】本発明の一実施例の硬貨処理部４００の構成例を示す側面図である。
【図５】本発明の一実施例の動作を説明するためのフローチャートである。
【図６】本発明の一実施例の動作を説明するためのフローチャートである。
【図７】本発明の一実施例の動作を説明するためのフローチャートである。
【図８】本発明の一実施例の動作を説明するためのフローチャートである。
【図９】本発明の一実施例の動作を説明するためのフローチャートである。
【符号の説明】
【００４８】
１００：貨幣処理装置、  １０１、１０７：硬貨、  １０２、１０８：紙幣、  １０３、１０４：計数・金種判定部、  １０５：処理部、  １０６：表示部、  １０９：釣銭回収カセット、  １１０：売上金回収カセット、  １１１：制御部、  １１２：記憶部、  １１３：演算部、  １１４：金種分類部、  １２０、１２１、１２２、１２３：レジスタ、  ２００Ａ：紙幣主処理部、  ２００Ｂ：硬貨主処理部、  ２０１Ａ：紙幣店舗現金保留部、  ２０１Ｂ：硬貨店舗現金保留部、  ２０２、２０３：取付部材、  ３００：紙幣処理部、  ３０１：紙幣投入口、  ３０２：紙幣鑑別部、  ３０３、３０４：紙幣一時保留部、  ３０５：紙幣返却口、  ３０６：紙幣リジェクト口、  ３０７：紙幣金庫カセット、  ３０９：紙幣店舗現金取出し口、  ３２１：紙幣ゲート、  ３２２：紙幣金庫カセットルート３２２、  ３２３：紙幣店舗現金保留部ルート、  ４００：硬貨処理部、  ４１１：硬貨投入口、  ４１２：検銭部、  ４１３：硬貨一時保留部、  ４１４：硬貨返却口、  ４１５：硬貨リジェクト口、  ４１６：硬貨金庫カセット、  ４１８：硬貨店舗現金取出し口、  ４１９：硬貨分類ボックス、  硬貨ゲート４２４、  ４２５：硬貨金庫カセットルート、  ４２６：硬貨店舗現金保留部ルート。
【図１】
2010067070.tif 000003
【図２】
2010067070.tif 000004
【図３】
2010067070.tif 000005
【図４】
2010067070.tif 000006
【図５】
2010067070.tif 000007
【図６】
2010067070.tif 000008
【図７】
2010067070.tif 000009
【図８】
2010067070.tif 000010
【図９】
2010067070.tif 000011